(57)【要約】【課題】異なる複数の高さの床部に対応して、幕板部の下方の隙間からの床部の内部の視認を防ぐ構成を実現することで、意匠性を維持しつつ、コストを低減できる床構造体を提供すること。【解決手段】段差１５を有する床部１０と、段差１５における上下に隣接する上段部１７及び下段部１６のうち少なくとも上段部１７の側部に取り付けられる幕板部９と、を備える床構造体１であって、幕板部９よりも床部１０側に配置され、下段部１６の上面１６ａから上方に延びる隙間延出部材３３，３４を備える。【選択図】図３
2019148079.tif 000002
【特許請求の範囲】
【請求項１】
段差を有する床部と、前記段差における上下に隣接する上段部及び下段部のうち少なくとも上段部の側部に取り付けられる幕板部と、を備える床構造体であって、
前記幕板部よりも前記床部側に配置され、前記下段部の上面から上方に延びる延出部材を備える床構造体。
【請求項２】
前記幕板部の裏面側に形成され、前記延出部材の少なくとも一部を配置可能な飲み込み部を更に備える請求項１に記載の床構造体。
【請求項３】
前記下段部は、前記床部を外側の側方から見た場合に、前記上面において手前側に配置される床材と、前記上面における前記床材の奥側に配置される床材スペーサと、を有し、
前記延出部材は、前記床材スペーサから上方に延びる請求項１又は２に記載の床構造体。
【発明の詳細な説明】
【技術分野】
【０００１】
本発明は、幕板を備える床構造体に関する。
【背景技術】
【０００２】
従来、床部と、床部の外縁の側部に取り付けられる幕板部と、を備える床構造体が知られている（例えば、特許文献１参照）。特許文献１の幕板部は、床部の外縁の側部を覆うように上下方向に延びて配置される。
【先行技術文献】
【特許文献】
【０００３】
【特許文献１】特開２０１６−４４４４２号公報
【発明の概要】
【発明が解決しようとする課題】
【０００４】
床構造体において、床部の高さが設置条件により異なることがある。そのため、幕板部を共通部材とすると、床部の高さによっては、幕板部の上下方向の長さが足らずに、幕板部の下方に隙間が形成されることがある。この場合には、幕板部の下方の隙間から、床部の内部が視認されて、意匠性が損なわれる可能性がある。また、床部の高さが異なる場合に、床部の高さに応じて、幕板部の下方の隙間からの床部の内部の視認を防ぐことができる複数種類の部材を準備すると、部材の種類が多くなり、コストが増大することになる。
【０００５】
本発明は、異なる複数の高さの床部に対応して、幕板部の下方の隙間からの床部の内部の視認を防ぐ構成を実現することで、意匠性を維持しつつ、コストを低減できる床構造体を提供することを目的とする。
【課題を解決するための手段】
【０００６】
本発明は、段差（例えば、後述の段差１５）を有する床部（例えば、後述の床部１０）と、前記段差における上下に隣接する上段部（例えば、後述の２段目段部１７）及び下段部（例えば、後述の１段目段部１６）のうち少なくとも上段部の側部に取り付けられる幕板部（例えば、後述の幕板部９）と、を備える床構造体（例えば、後述の床構造体１）であって、前記幕板部よりも前記床部側に配置され、前記下段部の上面（例えば、後述する上面１６ａ）から上方に延びる延出部材（例えば、後述の第１隙間延出部材３３、第２隙間延出部材３４）を備える床構造体に関する。
【０００７】
また、前記幕板部の裏面側に形成され、前記延出部材の少なくとも一部を配置可能な飲み込み部（例えば、後述の飲み込み部４２１）を更に備えることが好ましい。
【０００８】
また、前記下段部は、前記床部を外側の側方から見た場合に、前記上面において手前側に配置される床材（例えば、後述のタイル１１）と、前記上面における前記床材の奥側に配置される床材スペーサ（例えば、後述のスペーサ部材３２）と、を有し、前記延出部材は、前記床材スペーサから上方に延びることが好ましい。
【発明の効果】
【０００９】
本発明によれば、異なる複数の高さの床部に対応して、幕板部の下方の隙間からの床部の内部の視認を防ぐ構成を実現することで、意匠性を維持しつつ、コストを低減できる床構造体を提供することができる。
【図面の簡単な説明】
【００１０】
【図１】本実施形態に係る床構造体を示す斜視図である。
【図２】図１のＡ−Ａ線断面図である。
【図３】第１隙間延出部材の周辺の構成を示す断面図である。
【図４】第１隙間延出部材を設置した場合において、図３に示す状態よりも２段目段部の高さを高くした場合を示す図である。
【図５】図４に示す第１隙間延出部材に代えて第２隙間延出部材を設置した場合を示す図である。
【図６】第２隙間延出部材を設置した場合において、図５に示す状態よりも２段目段部の高さを高くした場合を示す図である。
【発明を実施するための形態】
【００１１】
本発明の一実施形態に係る床構造体１について説明する。図１は、本実施形態に係る床構造体１を示す斜視図である。図２は、図１のＡ−Ａ線断面図である。
【００１２】
本発明の一実施形態に係る床構造体１は、建物１００の近傍（例えば、庭）に乾式工法で施工されたデッキである。床構造体１は、複数のタイル１１で床面が形成される。図１に示すように、床構造体１は、一辺が建物１００の壁面と接する矩形形状に形成される。床構造体１の縁部には、段差１５が形成される。本実施形態においては、段差１５は、２段で構成され、１段目段部１６（下段部）と、２段目段部１７（上段部）と、を備える。１段目段部１６及び２段目段部１７は、上下に隣接して配置される。
【００１３】
図２に示すように、床構造体１は、複数の基台２と、複数の柱としての束柱３と、複数の大引４と、複数の根太５と、幕板受け材８と、幕板部９と、第１隙間延出部材３３と、床部１０と、を備える。束柱３、大引４、根太５、幕板受け材８及び幕板部９は、いずれもアルミニウム形材からなる。
【００１４】
床部１０は、図１に示すように、複数のタイル１１（床材）と、複数の目地１２と、を備える。
複数のタイル１１は、それぞれ、例えば、平面視で正方形形状に形成され、所定の厚さを有する。タイル１１は、図２に示すように、四辺の縁部が大引４の上面４１及び根太５の上面５１によって支持されるように、大引４及び根太５の上に敷設される。床部１０のうち段差１５の１段目段部１６及び２段目段部１７を構成するタイル１１は、段部の形状に合わせて加工（例えば切断）される。
複数の目地１２は、タイル１１同士の間において、タイル１１の縁部に沿うように延びて形成される。目地１２は、厚さがタイル１１の厚さよりも小さく形成される。
【００１５】
複数の基台２は、図２に示すように、地面に配設されている。
複数の束柱３は、基台２に立設されている。１段目段部１６の奥側に配置される束柱３の外側の側面には、根太受け３１や、スペーサ部材３２（床材スペーサ）や、固定金具等が取り付けられている。
【００１６】
根太受け３１は、図２に示すように、１段目段部１６の奥側に配置される束柱３の外側の側面に固定される。根太受け３１には、１段目段部１６の上面を構成するタイル１１を支持する根太５の束柱３側の端部が載置される。
【００１７】
スペーサ部材３２は、図２に示すように、１段目段部１６の奥側に配置される束柱３の外側の側面において、根太受け３１よりも上方側に固定される。スペーサ部材３２は、１段目段部１６における束柱３とタイル１１との間の水平方向の空間を埋めるように、根太５の束柱３側の端部の上面５１において、タイル１１の奥側において束柱３とタイル１１との間に配置される。スペーサ部材３２の上面には、第１隙間延出部材３３（後述）が取り付けられている。
【００１８】
複数の大引４は、複数の束柱３に架設されている。大引４は、例えば、中空部を有する略角柱形状の長尺部材で構成される。複数の大引４は、長手方向が建物１００の壁面に沿うように建物１００に対して平行に所定間隔で配置され、複数の束柱３に架設される。
【００１９】
大引４の上部は、図２に示すように、束柱３の幅と略等しい幅を有する。大引４の上面４１は、タイル１１の下面と接する。大引４は、一対の突出部４２、４２と、一対の係止部４３、４３と、を有する。
【００２０】
一対の突出部４２、４２は、大引４の上下方向の途中において、大引４の両方の側面から側方に突出する。床部１０の外縁側に配置される大引４において、大引４の外側の突出部４２の上面には、幕板受け材８（後述）が載置される。大引４の内側の突出部４２の上面には、複数の根太５が架設されている。
【００２１】
一対の係止部４３、４３は、大引４の下面から下方側に突出する。一対の係止部４３、４３は、束柱３の上端部の側面に固定されている。
【００２２】
複数の根太５は、複数の大引４に架設される。根太５の上面５１は、タイル１１の下面と接する。根太５は、例えば、中空を有する略角柱形状の長尺部材である。複数の根太５は、長手方向が建物１００の壁面が延びる水平方向に対して直交する方向に平行に所定間隔で配置され、複数の大引４に架設される。
【００２３】
幕板部９は、床部１０の外縁の側部を覆うように配置される。本実施形態においては、幕板部９は、段差１５における１段目段部１６及び２段目段部１７の両方において、床部１０の外縁の側部を覆うように、１段目段部１６及び２段目段部１７の側部に取り付けられる。
【００２４】
幕板部９は、図２に示すように、幕板受け材８を介して、床部１０における間口側（図１における右手前側）の外縁の側部において、大引４に取り付けられ、床部１０における出幅側（図１における左手前側）の外縁の側部において、根太５の側面に取り付けられる。
【００２５】
幕板受け材８は、床部１０の縁部の側部に固定される。幕板受け材８には、幕板部９が取り付けられる。幕板受け材８は、床部１０と幕板部９との間に配置される。幕板受け材８は、図２に示すように、上下方向延在固定壁８１と、タイル載置部８２と、上方突出部としての上方突出壁８３と、幕板本体固定部８７と、を有する。
【００２６】
上下方向延在固定壁８１は、鉛直方向に延びる壁である。上下方向延在固定壁８１は、大引４又は根太５の外側の側面に当接しており、大引４又は根太５の外側の側面に固定されている。
【００２７】
タイル載置部８２は、上下方向延在固定壁８１の上端から、床部１０の外側に配置される幕板部９側に水平方向に突出している。タイル載置部８２の上面には、タイル１１の外側の端部が載置される。
【００２８】
上方突出壁８３は、幕板受け材８における上方側に形成され、タイル載置部８２の外側の端部側において、タイル載置部８２の上面から上方側に突出する。
【００２９】
幕板本体固定部８７は、上下方向延在固定壁８１の下端から幕板本体９ａ側に水平方向に突出する。幕板本体固定部８７の下端は、突出部４２の上面に載置される。幕板本体固定部８７の側方には、幕板部９の固定用溝部９１１がネジ固定される。
【００３０】
なお、本実施形態においては、幕板部９が幕板受け材８に取り付けられる構成について、図２における床部１０の間口側に配置される幕板部９について説明するが、図３における床部１０の出幅側に配置される幕板部９についても同様の構成である。
【００３１】
幕板部９は、幕板本体９ａと、蓋部材９ｂと、を備える。幕板本体９ａは、図２に示すように、上下方向に延びると共に水平方向に長尺な板材により形成される。幕板本体９ａは、側板としての側壁９１と、固定用溝部９１１と、上面板としてのタイル収容上面壁９２と、突出係止部としての突出係止壁９３と、照明収容溝９４と、を備える。
【００３２】
側壁９１は、床部１０の外縁の側部において、上下方向に延びて形成されており、平板状に形成されている。２段目段部１７に取り付けられる幕板部９の側壁９１において、下端部９０１は、１段目段部１６の上面１６ａから離間して配置され、幕板部９の側壁９１と１段目段部１６の上面１６ａとの間には、隙間Ｓ１が形成される。幕板部９の側壁９１と１段目段部１６の上面１６ａとの隙間Ｓ１には、第１隙間延出部材３３が配置される。第１隙間延出部材３３の詳細については後述する。
【００３３】
タイル収容上面壁９２は、側壁９１の上方側に形成され、側壁９１の上端部から、床部１０側の側方に水平方向に延びるように形成されている。タイル収容上面壁９２の下方には、タイル収容上面壁９２の先端側において、タイル載置部８２の上面に載置されたタイル１１の外側の端部が収容され、タイル収容上面壁９２の基端側において、タイル収容上面壁９２の下面には、幕板受け材８の上方突出壁８３の上端部が当接する。
【００３４】
突出係止壁９３は、タイル収容上面壁９２の下面におけるタイル１１の外側の端部と上方突出壁８３との間の位置において、タイル収容上面壁９２の下面から下方側に突出する。突出係止壁９３は、幕板受け材８の上方突出壁８３に係止される。突出係止壁９３は、幕板受け材８の上方突出壁８３に係止されることで、幕板部９が床部１０の外側に位置するように、幕板部９における床部１０に対する水平方向の位置を位置決めする。
【００３５】
固定用溝部９１１は、側壁９１の上下方向の途中において、側壁９１の外面から窪んだ溝状に形成される。固定用溝部９１１は、幕板受け材８の幕板本体固定部８７に当接する。幕板本体９ａは、固定用溝部９１１において、幕板受け材８の幕板本体固定部８７にネジ固定される。固定用溝部９１１には、固定用溝部９１１においてネジ固定された後に、幕板本体９ａの外側の側面に沿うように、蓋部材９ｂが取り付けられる。蓋部材９ｂは、幕板本体９ａの固定用溝部９１１を覆う部材である。蓋部材９ｂは、幕板本体９ａの固定用溝部９１１と係合するように構成されている。
【００３６】
照明収容溝９４は、側壁９１の下部に設けられた溝であり、床部１０側に向けて開口して形成され、水平方向に延びる。照明収容溝９４には、ＬＥＤ等の小型照明が適宜配置される。
【００３７】
第１隙間延出部材３３（延出部材）について説明する。図３は、第１隙間延出部材３３の周辺の構成を示す断面図である。図４は、第１隙間延出部材３３を設置した場合において、図３に示す状態よりも２段目段部１７の高さを高くした場合を示す図である。
【００３８】
第１隙間延出部材３３は、スペーサ部材３２の上部開口３２１に取り付けられている。
スペーサ部材３２は、１段目段部１６の上面１６ａにおけるタイル１１の奥側においてタイル１１と束柱３との間に配置される。本実施形態においては、段差１５のうちの１段目段部１６は、床部１０を外側の側方から見た場合に、上面１６ａにおいて手前側に配置されるタイル１１と、上面１６ａにおけるタイル１１の奥側に配置されるスペーサ部材３２と、を有する。
【００３９】
第１隙間延出部材３３は、幕板部９よりも床部１０側に配置され、幕板部９と１段目段部１６の上面１６ａとの隙間Ｓ１において１段目段部１６の上面１６ａから上方に延びる。第１隙間延出部材３３は、スペーサ部材３２における束柱３側において、スペーサ部材３２から上方に延びる。第１隙間延出部材３３が、スペーサ部材３２における束柱３側において、スペーサ部材３２から上方に延びるため、幕板部９の照明収容溝９４に照明を配置する際などの施工時に邪魔になりにくい。よって、施工性を向上できる。
【００４０】
第１隙間延出部材３３は、図３に示すように、底部支持部３３１と、第１高さ上下延在隠し壁３３４と、を有する。底部支持部３３１は、上面板を構成する平面部３３２と、一対の係合片３３３と、を有する。
【００４１】
底部支持部３３１の平面部３３２の上面３３１ａは、タイル１１の上面１１ａと同一平面上に形成される。本実施形態においては、１段目段部１６の上面１６ａは、底部支持部３３１の平面部３３２の上面３３１ａと、タイル１１の上面１１ａと、により構成される。
【００４２】
底部支持部３３１は、一対の係合片３３３が、スペーサ部材３２の上部開口３２１の縁部に係合することで、スペーサ部材３２に取り付けられる。
【００４３】
第１高さ上下延在隠し壁３３４は、第１高さＨ１で、底部支持部３３１の上面３３１ａから上方側に延びる板状に形成される。第１高さ上下延在隠し壁３３４の上部３３４ａは、飲み込み部４２１に位置する。
【００４４】
飲み込み部４２１は、幕板部９の側壁９１の裏面側に形成され、大引４の突出部４２の下方の空間である。本実施形態においては、飲み込み部４２１は、上下方向において、幕板部９の側壁９１の裏面側における大引４の突出部４２の下面から側壁９１の下端部９０１までの範囲の空間である。飲み込み部４２１は、第１高さ上下延在隠し壁３３４の上部３３４ａを収容可能である。
【００４５】
これにより、図３に示すように、第１高さ上下延在隠し壁３３４は、第１高さ上下延在隠し壁３３４の上部３３４ａを飲み込み部４２１に収容した状態で、１段目段部１６の上面１６ａと幕板部９の下端部９０１との間の隙間Ｓ１において床部１０の内部の視認を防ぐ目隠しとして機能させることが可能である。
【００４６】
ここで、図４に示すように、床部１０の段差１５の２段目段部１７の高さを、図３に示す場合よりも高くすることで、１段目段部１６の上面１６ａと幕板部９の下端部９０１との間の隙間が隙間Ｓ１よりも広い隙間Ｓ２となる場合がある。幕板部９の下端部９０１が図３に示す場合よりも上方側に位置して、１段目段部１６の上面１６ａと幕板部９の下端部９０１との間の隙間が隙間Ｓ２（＞隙間Ｓ１）である場合においても、飲み込み部４２１の上下方向の範囲において第１隙間延出部材３３の上部３３４ａの位置を調整できるため、第１隙間延出部材３３を、１段目段部１６の上面１６ａと幕板部９の下端部９０１との間の隙間Ｓ２において床部１０の内部の視認を防ぐ目隠しとして機能させることができる。
【００４７】
具体的には、図３に示すように、１段目段部１６の上面１６ａと幕板部９の下端部９０１との間の隙間が隙間Ｓ１の場合には、第１隙間延出部材３３の上部３３４ａは、飲み込み部４２１の上部側に配置される。また、図４に示すように、１段目段部１６の上面１６ａと幕板部９の下端部９０１との間の隙間が隙間Ｓ２（＞隙間Ｓ３）の場合には、第１隙間延出部材３３の上部３３４ａの上端は、飲み込み部４２１の下端部に配置される。
【００４８】
よって、第１隙間延出部材３３は、１段目段部１６の上面１６ａと幕板部９の下端部９０１との間の隙間が、隙間Ｓ１（図３参照）から隙間Ｓ２（図４参照）までの範囲において、１段目段部１６の上面１６ａと幕板部９の下端部９０１との間の隙間において床部１０の内部の視認を防ぐように対応できる。
【００４９】
更に、１段目段部１６の上面１６ａと幕板部９の下端部９０１との間の隙間が隙間Ｓ１、Ｓ２よりも更に広い場合において、高さ（上下方向の長さ）が第１高さＨ１の第１隙間延出部材３３の他に、第１隙間延出部材３３よりも高い（上下方向の長さが長い）第２高さＨ２（＞第１高さＨ１）の第２隙間延出部材３４を準備しておき、第１隙間延出部材３３を第２隙間延出部材３４に変更することで、隙間Ｓ１、Ｓ２よりも隙間が広い場合に対応することができる。
【００５０】
例えば、図５及び図６に示すように、図３及び図４に示す第１隙間延出部材３３に代えて、高さが第１高さ上下延在隠し壁３３４よりも高い第２高さ上下延在隠し壁３４４を有する第２隙間延出部材３４に交換することで、１段目段部１６の上面１６ａと幕板部９の下端部９０１との間の隙間が、隙間Ｓ１から隙間Ｓ２までの範囲の隙間よりも広い隙間の範囲に対応できる。図５は、図４に示す第１隙間延出部材３３に代えて第２隙間延出部材３４を設置した場合を示す図である。図６は、第２隙間延出部材３４を設置した場合において、図５に示す状態よりも２段目段部１７の高さを高くした場合を示す図である。
【００５１】
第２隙間延出部材３４の構成は、第１隙間延出部材３３の第１高さ上下延在隠し壁３３４に代えて、第２高さ上下延在隠し壁３４４の高さが異なるのみで、他の構成は、第１隙間延出部材３３の構成と同様である。第２隙間延出部材３４は、図５及び図６に示すように、底部支持部３４１と、第１高さ上下延在隠し壁３４４と、を有する。
【００５２】
図５に示すように、第２高さ上下延在隠し壁３４４は、第２高さＨ２で、底部支持部３４１の上面３４１ａから上方側に延びる板状に形成される。第２高さ上下延在隠し壁３４４の第２高さＨ２は、前述の第１隙間延出部材３３の第１高さ上下延在隠し壁３３４の第１高さＨ１よりも高い（第２高さＨ２＞第１高さＨ１）。第２高さ上下延在隠し壁３４４の上部３４４ａは、飲み込み部４２１に位置する。
【００５３】
飲み込み部４２１は、幕板部９の側壁９１の裏面側に形成され、大引４の突出部４２の下方の空間である。本実施形態においては、飲み込み部４２１は、上下方向において、幕板部９の側壁９１の裏面側における大引４の突出部４２の下面から側壁９１の下端部９０１までの範囲の空間である。飲み込み部４２１には、第２高さ上下延在隠し壁３４４の上部３４４ａを収容可能である。
【００５４】
これにより、図５に示すように、第２高さ上下延在隠し壁３４４は、第２高さ上下延在隠し壁３４４の上部３４４ａを飲み込み部４２１に収容した状態で、１段目段部１６の上面１６ａと幕板部９の下端部９０１との間の隙間Ｓ２において床部１０の内部の視認を防ぐ目隠しとして機能させることが可能である。
【００５５】
ここで、図６に示すように、床部１０の段差１５の２段目段部１７の高さを、図５に示す場合よりも高くすることで、１段目段部１６の上面１６ａと幕板部９の下端部９０１との間の隙間が隙間Ｓ２よりも広い隙間Ｓ３となる場合がある。幕板部９の下端部９０１が図５に示す場合よりも上方側に位置して、１段目段部１６の上面１６ａと幕板部９の下端部９０１との間の隙間が隙間Ｓ３（＞隙間Ｓ２）である場合においても、飲み込み部４２１の上下方向の範囲において第２隙間延出部材３４の上部３４４ａの位置を調整できるため、１段目段部１６の上面１６ａと幕板部９の下端部９０１との間の隙間Ｓ３において床部１０の内部の視認を防ぐ目隠しとして機能させることができる。
【００５６】
具体的には、図５に示すように、１段目段部１６の上面１６ａと幕板部９の下端部９０１との間の隙間が隙間Ｓ２の場合には、第２隙間延出部材３４の上部３４４ａは、飲み込み部４２１の上部側に配置される。また、図６に示すように、１段目段部１６の上面１６ａと幕板部９の下端部９０１との間の隙間が隙間Ｓ３（＞隙間Ｓ２）の場合には、第２隙間延出部材３４の上部３４４ａの上端は、飲み込み部４２１の下端部に配置される。
【００５７】
よって、第２隙間延出部材３４は、１段目段部１６の上面１６ａと幕板部９の下端部９０１との間の隙間が、隙間Ｓ２（図５参照）から隙間Ｓ３（図６参照）までの範囲において、１段目段部１６の上面１６ａと幕板部９の下端部９０１との間の隙間からの床部１０の内部の視認を防ぐように対応できる。
【００５８】
以上のように構成される第１隙間延出部材３３及び第２隙間延出部材３４を準備することで、第１隙間延出部材３３を使用する場合には、図３及び図４に示すように、第１隙間延出部材３３の高さが第１高さＨ１で形成されており、第１隙間延出部材３３の上部（少なくとも一部）を配置可能な飲み込み部４２１を有するため、１段目段部１６の上面と幕板部９の下端部９０１との間の隙間が、隙間Ｓ１（図３参照）から隙間Ｓ２（図４参照）までの範囲において、１段目段部１６の上面１６ａと幕板部９の下端部９０１との間の隙間からの床部１０の内部の視認を防ぐように対応できる。よって、第１隙間延出部材３３を異なる高さの床部１０に対応できるように構成することで、意匠性を維持しつつ、第１隙間延出部材３３に要するコストを低減できる。
【００５９】
また、第２隙間延出部材３４を使用する場合には、図５及び図６に示すように、第２隙間延出部材３４の高さが第２高さＨ２（＞第１高さＨ１）で形成されており、第２隙間延出部材３４の上部（少なくとも一部）を配置可能な飲み込み部４２１を有するため、１段目段部１６の上面１６ａと幕板部９の下端部９０１との間の隙間が、前述の第１隙間延出部材３３とは対応範囲よりも大きな隙間Ｓ２（図５参照）から隙間Ｓ３（図６参照）までの範囲において、１段目段部１６の上面１６ａと幕板部９の下端部９０１との間の隙間からの床部１０の内部の視認を防ぐように対応できる。よって、第１隙間延出部材３３と同様に、第２隙間延出部材３４を異なる高さの床部１０に対応できるように構成することで、意匠性を維持しつつ、第２隙間延出部材３４に要するコストを低減できる。
【００６０】
このように、高さ（上下方向の長さ）が異なる２種類の第１隙間延出部材３３及び第２隙間延出部材３４を準備しておくことで、１段目段部１６の上面１６ａと幕板部９の下端部９０１との間の隙間からの床部１０の内部の視認を防ぐ範囲として、より広い範囲の隙間Ｓ１〜Ｓ３に対応できる。
よって、少ない種類の第１隙間延出部材３３及び第２隙間延出部材３４を準備しておくだけで、１段目段部１６の上面１６ａと幕板部９の下端部９０１との間の隙間において床部１０の内部の視認を防ぐ範囲を、より広い範囲の隙間Ｓ１〜Ｓ３に対応させることができる。
【００６１】
以上説明した本実施形態の床構造体１によれば、以下のような効果を奏する。
本実施形態の床構造体１は、段差１５を有する床部１０と、段差１５における上下に隣接する２段目段部１７及び１段目段部１６のうち少なくとも２段目段部１７の側部に取り付けられる幕板部９と、を備え、幕板部９よりも床部１０側に配置され、１段目段部１６の上面１６ａから上方に延びる第１隙間延出部材３３を備える。
【００６２】
そのため、幕板部９の下方の隙間Ｓ１又は隙間Ｓ２からの床部１０の内部の視認を防ぐ構成を実現することで、意匠性を向上できる。床部１０の高さが異なる場合においても、１段目段部１６の上面１６ａと幕板部９の下端部９０１との間の隙間が、隙間Ｓ１（図３参照）から隙間Ｓ２（図４参照）までの範囲において、異なる高さの床部１０に対応することができる。よって、第１隙間延出部材３３を異なる高さの床部１０に対応できるように構成することで、床部１０の内部の視認を防ぐことにより意匠性を維持しつつ、異なる高さの床部１０に対応して、幕板部９の下方の隙間Ｓ１，Ｓ２からの床部１０の内部の視認を防ぐ構成を実現できる。これにより、異なる高さの床部１０において、幕板部９の下方の隙間Ｓ１，Ｓ２からの床部１０の内部の視認を防ぐ構成とするために要するコストを低減できる。また、第１隙間延出部材３３よりも高さが高い第２隙間延出部材３４を使用した場合も、第１隙間延出部材３３と同様の効果を奏する。
【００６３】
また、本実施形態においては、幕板部９の裏面側に形成され、第１隙間延出部材３３の一部を配置可能な飲み込み部４２１を有する。そのため、飲み込み部４２１の上下方向の範囲において、第１隙間延出部材３３を配置することができる。これにより、異なる高さの床部１０において、簡易な構成により、幕板部９の下方の隙間Ｓ１，Ｓ２からの床部１０の内部の視認を防ぐ構成とするために要するコストを低減できる。
【００６４】
また、本実施形態においては、１段目段部１６は、床部１０を外側の側方から見た場合に、上面１６ａにおいて手前側に配置されるタイル１１と、上面１６ａにおけるタイル１１の奥側に配置されるスペーサ部材３２と、を有し、第１隙間延出部材３３又は第２隙間延出部材３４は、スペーサ部材３２から上方に延びる。これにより、スペーサ部材３２に第１隙間延出部材３３又は第２隙間延出部材３４を設けるだけで、異なる高さの床部１０に容易に対応して、簡単に、幕板部９の下方の隙間からの床部１０の内部の視認を防ぐことができる。また、高さの異なる複数の隙間延出部材を準備することで、１つの隙間延出部材で異なる高さの床部１０に対応でき、かつ、高さの異なる複数の隙間延出部材でより広い範囲の床部１０に対応できるため、幕板部９の下方の隙間が異なる場合であっても、より広い範囲で幕板部９の下方の隙間からの床部１０の内部の視認を防ぐことができる。これにより、より広い範囲で第１隙間延出部材３３又は第２隙間延出部材３４を幕板部９の下方の隙間からの床部１０の内部の視認を防ぐように配置することで、幕板部９の下方の隙間からの床部１０の内部の視認を防ぐ構成とするために要するコストをより低減できる。
【００６５】
以上、本発明の床構造体１の好ましい一実施形態について説明したが、本発明は、上述した実施形態に制限されるものではなく、適宜変更が可能である。
【００６６】
例えば、前記実施形態では、段差１５を２段で構成したが、これに限定されない。段差を、１段で構成してもよいし、３段以上で構成してもよい。なお、段差を１段で構成する場合は、例えば、下段部を、地面で構成し、上段部を、地面から１段目の段部として構成することができる。
【００６７】
また、前記実施形態では、第１隙間延出部材３３又は第２隙間延出部材３４を、スペーサ部材３２から上方に延びるように構成したが、これに限定されない。第１隙間延出部材３３又は第２隙間延出部材３４を、タイルや束柱や他の部材に接続して構成してもよい。
【００６８】
また、前記実施形態では、第１隙間延出部材３３又は第２隙間延出部材３４の上端部を、幕板部９の下端部９０１の高さ又はそれ以上の高さに配置したが、これに限定されず、幕板部９の下端部９０１よりも低い高さに配置してもよい。
【符号の説明】
【００６９】
１  床構造体
９  幕板部
１０  床部
１１  タイル（床材）
１５  段差
１６  １段目段部（下段部）
１６ａ  上面
１７  ２段目段部（上段部）
３２  スペーサ部材（床材スペーサ）
３３  第１隙間延出部材（延出部材）
３４  第２隙間延出部材（延出部材）
３３４ａ  上部
３４３ａ  上部
４２１  飲み込み部
【図１】
2019148079.tif 000003
【図２】
2019148079.tif 000004
【図３】
2019148079.tif 000005
【図４】
2019148079.tif 000006
【図５】
2019148079.tif 000007
【図６】
2019148079.tif 000008